【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
ビデオを符号化する方法であって、
ビットストリームにおいて重みのセットを符号化することであって、前記重みのセットを符号化することは、２分木における対応するリーフノードに重みを割り当てることを備え、前記重みの少なくとも１つは、０、０．５または１に等しくない値を有する、ことと、
ビデオの現在画像における少なくとも現在ブロックについて、前記重みのセットの中から少なくとも第１の重みを識別するブロックレベル符号語を符号化することであって、前記符号語は、どのリーフノードが前記第１の重みに対応するかを識別する、ことと、
第１の基準画像における第１の基準ブロックと第２の基準画像における第２の基準ブロックとの加重和として前記現在ブロックを予測することであって、前記第１の基準ブロックは、前記第１の重みによって重み付けされ、前記第２の基準ブロックは、第２の重みによって重み付けされる、ことと
を備える方法。
【請求項２】
前記第１の基準ブロックおよび前記第２の基準ブロックは、前記現在画像のためのビットストリームにおいてシグナリングされる少なくとも１つのスケーリング係数によってさらにスケーリングされる、請求項１の方法。
【請求項３】
前記２分木は、片予測ブランチおよび双予測ブランチを含み、
前記片予測ブランチは、１および０の重みを含み、
前記双予測ブランチは、１から０の間の少なくとも１つの重みを含む、
請求項１の方法。
【請求項４】
前記ビットストリームにおいて重みを符号化することは、重みの数を識別する情報を前記ビットストリームにおいてシグナリングすることをさらに含む、請求項１の方法。
【請求項５】
前記ビットストリームにおいて重みを符号化することは、第１のレベルにおいて重みの少なくとも第１のセットを、および、前記第１のレベルより低い第２のレベルにおいて重みの少なくとも第２のセットを階層的に符号化することを含み、ならびに前記第２のレベルにおいてシグナリングされた重みは、前記第１のレベルにおいてシグナリングされた前記重みの少なくともいくつかを置換する、請求項１の方法。
【請求項６】
前記第１のレベルはシーケンスレベルであり、ならびに前記第２のレベルは画像レベルおよびスライスレベルの１つである、請求項５の方法。
【請求項７】
重みへの符号語の前記割り当ては、以前に符号化されたブロックにおいて使用された重みに基づいて適合される、請求項１の方法。
【請求項８】
重みの前記セットにおいて少なくとも１つの実質的に冗長な重みを識別することをさらに備え、前記実質的に冗長な重みは前記ビデオの少なくともいくつかのブロックに対する符号語に割り当てられない、請求項１の方法。
【請求項９】
ビットストリームにおいて重みのセットを符号化することであって、前記重みのセットを符号化することは、２分木における対応するリーフノードに重みを割り当てることを備え、前記重みの少なくとも１つは、０、０．５または１に等しくない値を有する、ことと、
現在画像における少なくとも現在ブロックについて、前記重みのセットの中から少なくとも第１の重みを識別するブロックレベル符号語を符号化することであって、前記符号語は、どのリーフノードが前記第１の重みに対応するかを識別する、ことと、
第１の基準画像における第１の基準ブロックと第２の基準画像における第２の基準ブロックとの加重和として前記現在ブロックを予測することであって、前記第１の基準ブロックは、前記第１の重みによって重み付けされ、前記第２の基準ブロックは、第２の重みによって重み付けされる、ことと
を少なくとも実行するように構成されるプロセッサを備えた装置。
【請求項１０】
前記２分木は、片予測ブランチおよび双予測ブランチを含み、
前記片予測ブランチは、１および０の重みを含み、
前記双予測ブランチは、１から０の間の少なくとも１つの重みを含む、
請求項９の装置。
【請求項１１】
前記ビットストリームにおいて重みを符号化することは、重みの数を識別する情報を前記ビットストリームにおいてシグナリングすることをさらに含む、請求項９の装置。
【請求項１２】
前記ビットストリームにおいて重みを符号化することは、第１のレベルにおいて重みの少なくとも第１のセットを、および、前記第１のレベルより低い第２のレベルにおいて重みの少なくとも第２のセットを階層的に符号化することを含み、ならびに前記第２のレベルにおいてシグナリングされた重みは、前記第１のレベルにおいてシグナリングされた前記重みの少なくともいくつかを置換する、請求項９の装置。
【請求項１３】
ビデオを復号する方法であって、
ビットストリームから重みのセットを復号することであって、前記重みのセットを復号することは、２分木における対応するリーフノードに重みを関連付けることを備え、前記重みの少なくとも１つは、０、０．５または１に等しくない値を有する、ことと、
ビデオの現在画像における少なくとも現在ブロックについて、前記重みのセットの中から少なくとも第１の重みを識別するブロックレベル符号語を復号することであって、前記符号語は、どのリーフノードが前記第１の重みに対応するかを識別する、ことと、
第１の基準画像における第１の基準ブロックと第２の基準画像における第２の基準ブロックとの加重和として前記現在ブロックを予測することであって、前記第１の基準ブロックは、前記第１の重みによって重み付けされ、前記第２の基準ブロックは、第２の重みによって重み付けされる、ことと
を備える方法。
【請求項１４】
前記２分木は、片予測ブランチおよび双予測ブランチを含み、
前記片予測ブランチは、１および０の重みを含み、
前記双予測ブランチは、１から０の間の少なくとも１つの重みを含む、
請求項１３の方法。
【請求項１５】
前記ビットストリームから重みを復号することは、重みの数を識別する情報を前記ビットストリームから復号することをさらに含む、請求項１３の方法。
【請求項１６】
前記ビットストリームから重みを復号することは、第１のレベルにおいて重みの少なくとも第１のセットを、および、前記第１のレベルより低い第２のレベルにおいて重みの少なくとも第２のセットを階層的に復号することを含み、ならびに前記第２のレベルにおいてシグナリングされた重みは、前記第１のレベルにおいてシグナリングされた前記重みの少なくともいくつかを置換する、請求項１３の方法。
【請求項１７】
ビットストリームから重みのセットを復号することであって、前記重みのセットを復号することは、２分木における対応するリーフノードに重みを関連付けることを備え、前記重みの少なくとも１つは、０、０．５または１に等しくない値を有する、ことと、
ビデオの現在画像における少なくとも現在ブロックについて、前記重みのセットの中から少なくとも第１の重みを識別するブロックレベル符号語を復号することであって、前記符号語は、どのリーフノードが前記第１の重みに対応するかを識別する、ことと、
第１の基準画像における第１の基準ブロックと第２の基準画像における第２の基準ブロックとの加重和として前記現在ブロックを予測することであって、前記第１の基準ブロックは、前記第１の重みによって重み付けされ、前記第２の基準ブロックは、第２の重みによって重み付けされる、ことと
を少なくとも実行するように構成されるプロセッサを備えた装置。
【請求項１８】
前記２分木は、片予測ブランチおよび双予測ブランチを含み、
前記片予測ブランチは、１および０の重みを含み、
前記双予測ブランチは、１から０の間の少なくとも１つの重みを含む、
請求項１７の装置。
【請求項１９】
前記ビットストリームから重みを復号することは、重みの数を識別する情報を前記ビットストリームから復号することをさらに含む、請求項１７の装置。
【請求項２０】
前記ビットストリームから重みを復号することは、第１のレベルにおいて重みの少なくとも第１のセットを、および、前記第１のレベルより低い第２のレベルにおいて重みの少なくとも第２のセットを階層的に復号することを含み、ならびに前記第２のレベルにおいてシグナリングされた重みは、前記第１のレベルにおいてシグナリングされた前記重みの少なくともいくつかを置換する、請求項１７の装置。
【手続補正２】
【補正対象書類名】明細書
【補正対象項目名】０１２１
【補正方法】変更
【補正の内容】
【０１２１】
プロセッサ１２１８は、汎用プロセッサ、専用プロセッサ、従来型プロセッサ、デジタル信号プロセッサ（ＤＳＰ）、グラフィックス処理ユニット（ＧＰＵ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１２１８は、信号符号化、データ処理、電力制御、入力／出力処理、ならびに／またはＷＴＲＵ１２０２が有線および／もしくは無線環境において動作することを可能にする他の任意の機能性を実行することができる。プロセッサ１２１８は、送受信機１２２０に結合されることができ、送受信機１２２０は、送信／受信要素１２２２に結合されることができる。図１８は、プロセッサ１２１８と送受信機１２２０を別個の構成要素として示しているが、プロセッサ１２１８と送受信機１２２０は、電子パッケージおよび／またはチップ内に一緒に統合されることができることが理解されよう。
【手続補正３】
【補正対象書類名】明細書
【補正対象項目名】０１３１
【補正方法】変更
【補正の内容】
【０１３１】
ＷＴＲＵ１２０２および／または通信ネットワーク（例えば、通信ネットワーク１３０４）は、ＩＥＥＥ８０２．１６（例えば、マイクロ波アクセス用の世界的相互運用性（Worldwide Interoperability for Microwave Access）（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（Enhanced Data rates for GSM Evolution）（ＥＤＧＥ）、およびＧＳＭ  ＥＤＧＥ（ＧＥＲＡＮ）などの無線技術を実装することができる。ＷＴＲＵ１２０２および／または通信ネットワーク（例えば、通信ネットワーク８０４）は、ＩＥＥＥ８０２．１１またはＩＥＥＥ８０２．１５などの無線技術を実装することができる。